(57)【特許請求の範囲】
【請求項１】
導電性金属のプレートで、且つ、折り曲げ箇所を介して連結された複数のプレート箇所を有する端子接続部が設けられ、前記端子接続部は、内部に弾性接触部を有する箱部と、前記箱部に設けられた係止部とを有し、コネクタハウジングの収容状態では、前記係止部にハウジング側係止部が係止される端子であって、
前記箱部は、折り曲げの両端となる一方の前記プレート箇所と他方の前記プレート箇所同士が重ね合わされ、
前記係止部は、他方のプレート箇所より延設され、前記一方のプレート箇所の端部を挟み込み、挟み込んだ外面が係止面とされていることを特徴とする端子。
【請求項２】
請求項１記載の端子であって、
折り曲げの両端となる前記一方のプレート箇所は、天壁であり、前記他方のプレート箇所は、弾性接触部であることを特徴とする端子。
【発明の詳細な説明】
【技術分野】
【０００１】
本発明は、コネクタハウジングに収容される端子に関する。
【背景技術】
【０００２】
この種の従来の端子としては、特許文献１に開示されたものがある。端子である雌端子５０は、図９〜図１０に示すように、所定形状の導電性金属のプレートを折り曲げ加工することによって形成されている。雌端子５０は、端子接続部５１を有する。端子接続部５１は、箱部５２とこの箱部５２の内部に配置された弾性接触部５８を有する。箱部５２は、底壁５３と、底壁５３の側端より折り曲げられた一方の側壁５４と、一方の側壁５４の上端より折り曲げられた天壁５５と、天壁５５の側端より折り曲げられた他方の側壁５６より構成されている。
【０００３】
弾性接触部５８は、他方の側壁５６の側端の連結部５６ａを介して延設されている。弾性接触部５８は、連結部５６ａの箇所で折り曲げられ、その支持端側が底壁５３の上面に重なるように配置されている。弾性接触部５８の支持端側で、且つ、他方の側壁５６との連結箇所の反対側には、支持突起５８ａが設けられている。この支持突起５８ａは、一方の側壁５４の支持孔５４ａに係止されている。このような構成によって、弾性接触部５８の支持端側は、双方の側壁５４，５６に支持されている。
【０００４】
底壁５３と弾性接触部５８の後端部は、係止部５９として構成されている。係止部５９は、底壁５３と弾性接触部５８の双方の後端面が係止面５９ａとされている。
【０００５】
雌端子５０がコネクタハウジング（図示せず）内に収容された状態では、コネクタハウジングのランス６０が係止部５９に係止する。これによって、雌端子５０がコネクタハウジング内に保持（位置決め）される。
【先行技術文献】
【特許文献】
【０００６】
【特許文献１】特開２００８−１２３７４０号公報
【発明の概要】
【発明が解決しようとする課題】
【０００７】
しかしながら、前記従来の雌端子５０では、箱部５２の底壁５３と他方の側壁５６が単に突き当てられた状態であるため、相手端子（図示せず）からの反力等によって箱部５２が開き易い。箱部５２が開くと、電気的接触信頼性が低下する恐れがある。
【０００８】
又、係止部５９の係止代が底壁５３と弾性接触部５８の合計厚み（二枚のプレート厚）であるため、係止代が十分でなく、端子保持力が小さい。箱部５２が開くと、係止面５９ａが変位して更に係止代が減少する恐れがある。
【０００９】
そこで、本発明は、前記した課題を解決すべくなされたものであり、箱部の箱開きによる電気的接触信頼性の低下防止と、端子保持力の向上を共に図ることができる端子を提供することを目的とする。
【課題を解決するための手段】
【００１０】
本発明は、導電性金属のプレートで、且つ、折り曲げ箇所を介して連結された複数のプレート箇所を有する端子接続部が設けられ、前記端子接続部は、内部に弾性接触部を有する箱部と、前記箱部に設けられた係止部とを有し、コネクタハウジングの収容状態では、前記係止部にハウジング側係止部が係止される端子であって、前記箱部は、折り曲げの両端となる一方の前記プレート箇所と他方の前記プレート箇所同士が重ね合わされ、前記係止部は、他方のプレート箇所より延設され、前記一方のプレート箇所の端部を挟み込み、挟み込んだ外面が係止面とされていることを特徴とする端子である。
【００１１】
折り曲げの両端となる前記一方のプレート箇所は、天壁であり、前記他方のプレート箇所は、弾性接触部であることが好ましい。
【発明の効果】
【００１２】
本発明によれば、折り曲げの両端となる一方のプレート箇所と他方のプレート箇所同士が重ね合わされ、且つ、一方のプレート箇所の端部が他方のプレート箇所より延設された係止部によって挟持されているため、相手端子からの反力等によって容易に箱部が箱開きしない。係止部の係止代は、三枚のプレート厚みとなるため、係止代が十分に確保される。その上、上記したように箱開きが防止されるため、箱開きによる係止代の減少もない。以上より、箱部の箱開きによる電気的接触信頼性の低下防止と、端子保持力の向上を共に図ることができる。
【図面の簡単な説明】
【００１３】
【図１】本発明の一実施形態を示し、（ａ）は雌端子の斜視図、（ｂ）は（ａ）とは別の方向から見た雌端子の斜視図である。
【図２】本発明の一実施形態を示し、雌端子の平面図である。
【図３】本発明の一実施形態を示し、雌端子の側面図である。
【図４】本発明の一実施形態を示し、雌端子の前面図である。
【図５】本発明の一実施形態を示し、（ａ）は図４のＡ−Ａ線断面図、（ｂ）は（ａ）のＢ部拡大図である。
【図６】本発明の一実施形態を示し、雌端子の展開図である。
【図７】本発明の一実施形態を示し、雌端子が収容されたコネクタハウジングの前面図である。
【図８】本発明の一実施形態を示し、（ａ）は図７のＣ−Ｃ線断面図、（ｂ）は（ａ）のＤ部拡大図である。
【図９】従来例を示し、雌端子の斜視図である。
【図１０】従来例を示し、雌端子の前面図である。
【図１１】図１０のＥ−Ｅ線断面図である。
【発明を実施するための形態】
【００１４】
以下、本発明の一実施形態を図面に基づいて説明する。
【００１５】
図１〜図８は本発明の一実施形態を示す。図１〜図６に示すように、端子である雌端子１は、所定形状（図６に示す）の導電性金属のプレートを折り曲げ加工することによって形成されている。雌端子１は、端子接続部２と、この端子接続部２より後方側に絞り連結部２９を介して設けられた電線接続部３０とを有する。
【００１６】
電線接続部３０は、ワイヤバレル部３１とインシュレーションバレル部３２を有する。ワイヤバレル部３１とインシュレーションバレル部３２は、底壁３１ａ，３２ａと、この底壁３１ａ，３２ａの両側端より突設された一対の舌片部３１ｂ，３２ｂをそれぞれ有する。底壁３１ａ，３２ａは、内側に向かって緩く円弧状に折り曲げられている。ワイヤバレル部３１には、電線（図示せず）の端部が外皮が取り除かれた状態で、つまり、導体のみが加締め固定される。インシュレーションバレル部３２には、電線（図示せず）の端部が外皮を含めて加締め固定される。
【００１７】
端子接続部２は、相手端子である雄端子（図示せず）が挿入される箱部３と、この箱部３に設けられた係止部２０とを有する。箱部３は、底壁４と、この底壁４の左右の側端よりそれぞれ上方側に垂直方向に折り曲げられた一対の側壁５，６と、一方の側壁５の上端より内側に水平方向に折り曲げられた天壁７と、他方の側壁６の上端より内側に水平方向に折り曲げられた弾性接触部８の支持端側とから構成されている。箱部３内には、相手端子である雄端子（図示せず）が挿入される。
【００１８】
弾性接触部８の支持端側は、箱部３の一部プレートを兼用している。箱部３は、折り曲げの両端となる一方のプレート箇所である天壁７と他方のプレート箇所となる弾性接触部８同士が重ね合わされている。
【００１９】
他方の側壁６の上端の一部には、スタビライザ９が延設されている。このスタビライザ９は、他方の側壁６に対して天壁７のようには折り曲げられず、上方に突出している。
【００２０】
弾性接触部８は、その一方の支持端側が他方の側壁６の側端より延設されている。弾性接触部８の支持端側は、上記したように箱部３の一部を兼用し、天壁７の下面に重なるように配置されている。弾性接触部８の他方の支持端側には、支持突起８ａが一体に設けられている。この支持突起８ａは、一方の側壁５と天壁７の連結箇所の支持孔１０に係止されている。このような構成によって、弾性接触部８の支持端は、その両側で箱部３に支持されている。弾性接触部８は、箱部３内に配置され、その先端側が箱部３の前方に向かって延びている。弾性接触部８の最先端部は、相手端子である雄端子（図示せず）の先端との突き当たりを回避するために湾曲状になっている。弾性接触部８の支持端側と先端側の中間箇所には、天壁７の下方より突出する屈曲支点部７ａが当接している。弾性接触部８、屈曲支点部７ａを支点として撓み変形する。
【００２１】
係止部２０は、弾性接触部８の支持端より端子後方に向かって延設されている。係止部２０は、天壁７の後端部を挟み込み、挟み込んだ外面が係止面２０ａとされている。つまり、係止部２０は、他方のプレート箇所である弾性接触部８より延設され、一方のプレート箇所である天壁７の後端部を挟み込んでいる。
【００２２】
このように構成された雌端子１は、図６及び図７に示すように、コネクタハウジング４０に収容される。つまり、コネクタハウジング４０内には、端子収容室４１が設けられている。各端子収容室４１は、その前端側に相手端子挿入孔４１ａが開口し、後端側に電線引出孔４１ｂが開口している。コネクタハウジング４０には、端子収容室４１に臨むようにハウジング側係止部である弾性ランス４３が設けられている。
【００２３】
次に、雌端子１の収容作業を説明する。雌端子１を端子収容室４１の後方側の電線引出孔４１ｂより挿入する。すると、雌端子１の箱部３の前端が弾性ランス４３に干渉するが、弾性ランス４３が撓み変形して雌端子１の挿入が許容される。雌端子１を挿入完了位置まで挿入すると、図８に詳しく示すように、弾性ランス４３が復帰変形して係止部２０に係止される。これにより、雌端子１が端子収容室４１に保持（位置決め）されている。
【００２４】
以上説明したように、箱部３の折り曲げの両端となる天壁７と弾性接触部８同士が重ね合わされ、且つ、天壁７の端部が弾性接触部８より延設された係止部２０によって挟持されているため、相手端子である雄端子（図示せず）からの反力等によって容易に箱部３が箱開きしない。係止部２０の係止代は、三枚のプレート箇所（天壁７の板厚と係止部２０の２枚の板厚）の厚み寸法Ｄ（図８に示す）となるため、係止代が十分に確保される。その上、上記したように箱開きが防止されるため、箱開きによる係止代の減少もない。以上より、箱部３の箱開きによる電気的接触信頼性の低下防止と、端子保持力の向上を共に図ることができる。
【００２５】
この実施形態では、箱部３の折り曲げの両端となる一方のプレート箇所は、天壁７であり、他方のプレート箇所は、弾性接触部８である。従って、弾性接触部８が箱部３の一部を兼用するため、構成要素の簡略化になる。弾性接触部８は、係止部２０を介して箱部３に支持されるため、弾性接触部８の支持端が強固に支持され、弾性接触部８の変形等による接触圧減少を極力防止できる。
【符号の説明】
【００２６】
１  雌端子（端子）
２  端子接続部
３  箱部
８  弾性接触部
２０  係止部
２０ａ  係止面
３０  電線接続部
４０  コネクタハウジング
４３  弾性ランス（ハウジング側係止部）
【図１】
0005913904.tif 000002
【図２】
0005913904.tif 000003
【図３】
0005913904.tif 000004
【図４】
0005913904.tif 000005
【図５】
0005913904.tif 000006
【図６】
0005913904.tif 000007
【図７】
0005913904.tif 000008
【図８】
0005913904.tif 000009
【図９】
0005913904.tif 000010
【図１０】
0005913904.tif 000011
【図１１】
0005913904.tif 000012